(57)【要約】【課題】生産性、及び省エネルギー性能に優れた冷蔵庫の筐体、及び冷蔵庫の提供。【解決手段】冷蔵庫の筐体１０は、冷蔵庫外空間ＳＰ２に臨む外板１と、冷蔵庫内空間ＳＰ１に臨む内板４と、内板４と外板１との間に設けられた断熱材層３とを備える。外板１は、透光性樹脂板１ａを備え、透光性樹脂板１ａにおける外側主面１ａ２には粗面が形成されている。冷蔵庫の筐体１０は、生産性、及び省エネルギー性能に優れる。【選択図】図１
0003221524.tif 000002
【実用新案登録請求の範囲】
【請求項１】
冷蔵庫外空間に臨む外板と、
冷蔵庫内空間に臨む内板と、
前記内板と前記外板との間に設けられた断熱材層と、を備え、
前記外板は、透光性樹脂板を備え、
前記透光性樹脂板における外側主面には粗面が形成された、
冷蔵庫の筐体。
【請求項２】
磁性体を含む磁性層をさらに備え、
前記磁性層は、前記外板と前記断熱材層との間に設けられた、
請求項１に記載の冷蔵庫の筐体。
【請求項３】
前記透光性樹脂板における内側主面には不透明模様が形成された、
請求項１又は２に記載の冷蔵庫の筐体。
【請求項４】
前記透光性樹脂板がメタクリル樹脂からなる、
請求項１〜３のいずれかに記載の冷蔵庫の筐体。
【請求項５】
請求項１〜４のいずれかに記載の冷蔵庫の筐体を備える、
冷蔵庫。
【考案の詳細な説明】
【技術分野】
【０００１】
本考案は、冷蔵庫の筐体、及び冷蔵庫に関する。
【背景技術】
【０００２】
特許文献１及び２には、ガラス板、又は強化ガラス板を備えた冷蔵庫の扉体が開示されている。
【先行技術文献】
【特許文献】
【０００３】
【特許文献１】特許第３１４０１１０号公報
【特許文献２】特開２０１３−２３４８３２号公報
【考案の概要】
【考案が解決しようとする課題】
【０００４】
ガラスは、切削、印刷、フィルム貼合等の加工が容易でないため、上記した冷蔵庫の扉体の生産性には、改善の余地があった。また、ガラスは、熱伝導率が高いため、上記した冷蔵庫の扉体の省エネルギー性能には、改善の余地があった。
【０００５】
本考案は、生産性、及び省エネルギー性能に優れた冷蔵庫の筐体、及び冷蔵庫を提供するものとする。
【課題を解決するための手段】
【０００６】
本考案は、以下の［１］〜［４］の冷蔵庫の筐体、及び［５］の冷蔵庫を提供する。
［１］冷蔵庫外空間に臨む外板と、冷蔵庫内空間に臨む内板と、前記内板と前記外板との間に設けられた断熱材層と、を備え、前記外板は、透光性樹脂板を備え、前記透光性樹脂板における外側主面には、粗面が形成された、冷蔵庫の筐体。
［２］磁性体を含む磁性層をさらに備え、前記磁性層は、前記外板と前記断熱材層との間に設けられた［１］の冷蔵庫の筐体。
［３］前記透光性樹脂板における内側主面には不透明模様が形成された［１］又は［２］の冷蔵庫の筐体。
［４］前記透光性樹脂板がメタクリル樹脂からなる［１］〜［３］のいずれかに記載の冷蔵庫の筐体。
［５］［１］〜［４］のいずれかに記載の冷蔵庫の筐体を備える冷蔵庫。
【考案の効果】
【０００７】
本考案は、生産性、及び省エネ性能に優れた冷蔵庫の筐体、及び冷蔵庫を提供することができる。
【図面の簡単な説明】
【０００８】
【図１】実施の形態１の冷蔵庫の筐体の一例を示す概略断面図である。
【図２】実施の形態１の冷蔵庫の筐体の他の一例を示す概略断面図である。
【図３】実施の形態１の冷蔵庫の筐体の一変形例を示す概略断面図である。
【考案を実施するための形態】
【０００９】
（実施の形態１）
本考案の冷蔵庫の筐体に係る実施の形態１について、図１及び図２を参照しながら以下に説明する。図１は、実施の形態１の冷蔵庫の筐体の一例を示す概略断面図である。図２は、実施の形態１の冷蔵庫の筐体の他の一例を示す概略断面図である。図２は、図１に示す冷蔵庫の筐体の他の一例を示す。
【００１０】
なお、当然のことながら、図１及びその他の図面に示した右手系ｘｙｚ座標は、構成要素の位置関係を説明するための便宜的なものである。通常、ｚ軸プラス向きが鉛直上向き、ｘｙ平面が水平面であり、図面間で共通である。
【００１１】
本明細書において「外側」、「内側」は、特に断りのない限り、「内側」は冷蔵庫の庫内側（ここでは、ｘ軸プラス側）を、「外側」はその反対側（ここでは、ｘ軸マイナス側）を意味する。また、「主面」は板の厚み方向に実質的に直交する表面である。なお、本考案はこれに限定されるものではない。
【００１２】
図１に示すように、冷蔵庫の筐体１０は、外板１と、内板４と、断熱材層３とを備える。外板１は、冷蔵庫外空間ＳＰ２に臨み、内板４は、冷蔵庫内空間ＳＰ１に臨む。冷蔵庫内空間ＳＰ１は、図示しないヒートポンプ等によって冷却されている。ユーザは、冷蔵対象物を冷蔵庫内空間ＳＰ１に配置することによって冷蔵する。外板１と内板４とは、互いに対向する。断熱材層３は、外板１と内板４との間に設けられている。図１に示す断熱材層３の一例は、外板１と内板４とに挟持されている。外板１は、透光性樹脂板１ａを備え、透光性樹脂板１ａにおける外側主面１ａ２には、粗面が形成されている。
【００１３】
透光性樹脂板１ａは、透明性を有する樹脂を含み、かつ、多層であればよい。この樹脂は、透明性を有する樹脂であればよく、特に限定されるものではない。厚みは０．５〜５ｍｍとすることができる。当該樹脂として、多種多様な樹脂、例えば、メタクリル樹脂、ＭＳ（メチルメタクリレート・スチレン共重合）樹脂、ポリカーボネート樹脂等を利用することができる。当該樹脂として、メタクリル樹脂を利用すると好ましい。また、多層とは、少なくとも２つの層を積層したものである。
【００１４】
透光性樹脂板１ａとして、例えば、マイカを含有させて粗面化した熱可塑性樹脂を含む表面層と、熱可塑性樹脂層とを備える積層板を利用することができる。粗面化により指紋汚れが付着し難くなり、マイカの含有により耐傷つき性が向上する。このような積層板は、例えば、メタクリル樹脂からなる板であってもよい。このようなメタクリル樹脂からなる板は、例えば、マイカを含有するメタクリル樹脂からなる第１層、熱可塑性樹脂からなる第２層、マイカを含有するメタクリル樹脂からなる第３層をこの順に積層して成る積層板であってもよい。
【００１５】
このような積層板は、多層共押出法を用いて形成することができる。多層共押出法は、工業的量産性に優れる。また、多層共押出法を用いて形成した積層板に、後工程で、予め不透明模様を印刷されたフィルム状物を貼合したり、表層材を塗工したりする等して、表面層を形成してもよいが、これらの形成方法に限定されるものではない。また、ハードコート、反射防止、防指紋汚染等を意図する表面加工方法をこの表面層に施してもよいが、これらの表面加工方法に限定されるものではない。
【００１６】
透光性樹脂板１ａは、多層の構造を有する樹脂板であるため、透光性樹脂板１ａの外側主面１ａ２に、意匠性や機能性を有する機能面を容易に設けることが出来る。この機能面は、例えば、粗面や賦形面等である。
【００１７】
また、内側主面１ａ１に形成されてもよい不透明模様は、印刷したり、塗工材を塗工したりすることによって、直接的に内側主面１ａ１に形成することができる。
【００１８】
また、当該不透明模様は、図２に示すフィルム１ｂを内側主面１ａ１に貼合することによって、間接的に内側主面１ａ１に形成してもよい。具体的には、当該不透明模様をフィルム１ｂに予め印刷する。当該不透明模様の印刷されたフィルム１ｂの主面と内側主面１ａ１とが密着するように、フィルム１ｂを透光性樹脂板１ａに貼り合せる。フィルム１ｂは、透光性樹脂板１ａと断熱材層３との間に配置される。これらにより、不透明模様を内側主面１ａ１に形成し、外板１に覆われた断熱材層３が透けて見えることを防止する。そのため、ユーザは、断熱材層３を視認することができず、外板１や不透明模様を認識することができる。よって、意匠性を冷蔵の筐体１０に付与することが出来る。
【００１９】
透光性樹脂板１ａは、樹脂板であるため、加工等の工程内、および、冷蔵庫の筐体１０を用いた製品の輸送時、店頭での展示時等における取扱い性に優れる。また、透光性樹脂板１ａは、破損片による切創等の危険性も少なく、安全性に優れる。透光性樹脂板１ａは、ガラス板と比較して、取扱い性、及び安全性に優れる。
【００２０】
また、透光性樹脂板１ａは、基体樹脂（図示略）と、表面層（図示略）とを備えてもよい。表面層は、基体樹脂における断熱材層３側、又は冷蔵庫外空間ＳＰ２側の主面を覆う。表面層は、基体樹脂と、異なる光学的特性を有する。表面層は、例えば、少なくとも基体樹脂と異なる屈折率を有する光散乱性物質を、基体樹脂と比較して高濃度に内包してもよい。表面層は、多層共押出法を用いて成形することが出来る。また、透光性樹脂板１ａの表面に光学的、または幾何的に光拡散性を有する層を塗布、または貼合して、表面層を形成してもよいが、この形成方法は、この塗布及び貼合に特に限定されるものではない。この形成方法として、多層共押出法を用いると、生産性が良好であるため、好ましい。
【００２１】
透光性樹脂板１ａの外側主面１ａ２には、ハードコート、反射防止、防指紋汚染等の表面加工等を用いることが出来るが、これらに限定されるものではない。これらの外側主面１ａ２に用いる表面加工等は、特に制限はなく、スピンコート、バーコート、ダイコートや、浸漬−引上げ法等による塗工法、一旦フィルム状に反射防止膜を形成した後、当該表面に転写する転写法等を用いることができる。
【００２２】
以上より、冷蔵庫の筐体１０は、透光性樹脂板１ａを備え、透光性樹脂板１ａは、多層の樹脂層を備える。樹脂は、ガラスに比較して、切削、印刷、フィルム貼合等の加工が容易であることが多い。そのため、冷蔵庫の筐体１０は、ガラス、又は強化ガラスを備えた筐体と比較して、生産性に優れる。また、樹脂は、ガラスと比較して、熱伝導率が低いことが多い。そのため、冷蔵庫の筐体１０は、ガラス、又は強化ガラスを備えた筐体と比較して、熱伝導性が低い。よって、熱が冷蔵庫内空間ＳＰ１から冷蔵庫外空間ＳＰ２へ移動し難い。冷蔵庫内空間ＳＰ１の温度が高くなり難く、ヒートポンプ等が使用するエネルギー使用量は多くない。よって、冷蔵庫の筐体１０は、ガラス、又は強化ガラスを備えた筐体と比較して、省エネルギー性能に優れる。従って、本考案によれば、生産性、及び省エネルギー性能に優れた筐体１０を提供することができる。
【００２３】
また、透光性樹脂板１ａは、多層の樹脂層を備える。そのため、透光性樹脂板１ａの外側主面１ａ２に、意匠性や機能性を有する機能を備える。透光性樹脂板１ａの意匠性や機能性は、ガラス板のそれらと大きく変わらない。
【００２４】
また、透光性樹脂板１ａは、ガラス板と比較して、加工等の工程内、および製品輸送時、店頭展示時等における取扱い性に優れる。また、透光性樹脂板１ａは、ガラス板と比較して、破損片による切創等の危険性も低減出来る。よって、本実施の形態１にかかる冷蔵庫の筐体１０は、取扱い性、及び安全性に優れる。
【００２５】
（他の一変形例）
図３に示す冷蔵庫の筐体２０は、図２に示す冷蔵庫の筐体１１の一変形例である。図３は、実施の形態１の冷蔵庫の筐体の一変形例を示す概略断面図である。冷蔵庫の筐体２０は、磁性層２を備えるところを除いて筐体１１と同じ構成を備える。
【００２６】
筐体２０は、磁性層２を備え、磁性層２は、外板１と断熱材層３との間に設けられ。図２に示す磁性層２の一具体例は、外板１と断熱材層３とに挟持されている。具体的には、磁性層２は、内側主面１ａ１に形成された不透明模様と、断熱材層３との間に設けられている。磁性層２は、磁性体を含有する層である。
【００２７】
磁性層２は、多種多様な方法を用いて、外板１と断熱材層３との間に設置することができる。例えば、磁性層２をフィルム１ｂに沿うように配置して、内側主面１ａ１に間接的に沿わせる。これによって、断熱材層３が膨張し磁性層２をフィルム１ｂに押し付けて、磁性層２を外板１と断熱材層３との間に保持させる。すなわち、磁性層２の設置を行うことができる。また、図示しない粘着材層を介し、磁性層２を外板１又は断熱材層３に貼合して、磁性層２を外板１と断熱材層３との間に設置することができる。これらの設置方法に特に限定されることなく、他の設置方法を用いて磁性層２を設置してもよい。
【００２８】
ここで、磁性層２は、外板１と断熱材層３との間に設置されているから、外板１の外側主面１ａ２上、又はその近傍に位置するマグネットを引き付ける。マグネットは、外側主面１ａ２上に配置されると、磁性層２によって引き付けられて、外側主面１ａ２に密着する。これにより、冷蔵庫の筐体２０は、マグネットを外側主面１ａ２に保持することが可能となる。磁性層の厚みは０．１〜３ｍｍであってもよく、本変形例の場合の透光性樹脂板の厚みは、ユーザの用いるマグネットの磁力にもよるが０．５〜３ｍｍであってもよい。
【００２９】
以上より、冷蔵庫の筐体２０は、磁性層２を備えるため、マグネットを外側主面１ａ２に保持することができる。また、冷蔵庫の筐体２０は、透光性樹脂板１ａを備えるため、冷蔵庫の筐体１０、１１と同様に、生産性、及び省エネルギー性能等に優れる。
【００３０】
なお、本考案は上記実施の形態に限られたものではなく、趣旨を逸脱しない範囲で適宜変更することが可能である。また、本考案は、上記実施の形態やその一例を適宜組み合わせて実施してもよい。また、筐体１０、１１、２０について、多種多様な冷蔵庫に適用することができる。筐体１０、１１、２０の少なくとも一部を備える冷蔵庫は、生産性、及び省エネルギー性能等に優れる。
【符号の説明】
【００３１】
１０、１１、２０  筐体
１  外板
１ａ  透光性樹脂板                          １ｂ  フィルム
１ａ１  内側主面                            １ａ２  外側主面
２  磁性層                                  ３  断熱材層
４  内板
ＳＰ１  冷蔵庫内空間                        ＳＰ２  冷蔵庫外空間
【図１】
0003221524.tif 000003
【図２】
0003221524.tif 000004
【図３】
0003221524.tif 000005